(57)【要約】【課題】ＨＡＶｉ規格に準拠したターゲット機器において、ターゲット機器側からコントローラ機器側のモニタに、ターゲット機器又はその製造メーカの広告やロゴマークを表示させることができるようにして、宣伝広告効果を高める。【解決手段】ターゲット機器に記憶されたＳＤＤデータ内のＤＣＭ（Device Control Module）コードユニットに、該当ターゲット機器又はその製造メーカの広告又はロゴマークを表示するための広告表示モジュールを含めるようにしたことにより、該当ターゲット機器がコントローラ機器に接続された際に（Ｓ１でＹＥＳ）、上記のＳＤＤデータをコントローラ機器にアップロードすることで（Ｓ２）、コントローラ機器側のモニタに、該当のターゲット機器又はその製造メーカの広告又はロゴマークを表示することができる。【選択図】図５
2006128877.tif 000002
【特許請求の範囲】
【請求項１】
ＨＡＶｉ（Home Audio Video interoperability）規格に準拠したコントローラ機器とＩＥＥＥ１３９４シリアルバスを介してネットワーク接続可能であり、
自機の機器全体に関連した基本的な制御を行うためのプログラムであるＤＣＭ（Device Control Module）と、自機が有する機能に応じた基本的な制御を行うためのプログラムであるＦＣＭ（Functional Component Module）とからなるファイルであるＤＣＭ（Device Control Module）コードユニットを含むＳＤＤデータを記憶するメモリと、
自機がＩＥＥＥ１３９４シリアルバスを介して前記コントローラ機器と接続されたことを検知する接続検知手段と、
前記接続検知手段によって、前記コントローラ機器と接続されたことが検知されたときに、前記ＳＤＤデータを前記コントローラ機器にアップロードする送信手段とを備えた、ＨＡＶｉ規格に準拠したターゲット機器において、
前記ＳＤＤデータ内のＤＣＭ（Device Control Module）コードユニットには、広告表示ボタンを表示するための広告表示ボタン表示モジュールと、自機又はその製造メーカの広告又はロゴマークを表示するための広告表示モジュールとが含まれることを特徴とするＨＡＶｉ規格に準拠したターゲット機器。
【請求項２】
ＨＡＶｉ（Home Audio Video interoperability）規格に準拠したコントローラ機器とＩＥＥＥ１３９４シリアルバスを介してネットワーク接続可能であり、
自機の機器全体に関連した基本的な制御を行うためのプログラムであるＤＣＭ（Device Control Module）と、自機が有する機能に応じた基本的な制御を行うためのプログラムであるＦＣＭ（Functional Component Module）とからなるファイルであるＤＣＭ（Device Control Module）コードユニットを含むＳＤＤデータを記憶するメモリと、
自機がＩＥＥＥ１３９４シリアルバスを介して前記コントローラ機器と接続されたことを検知する接続検知手段と、
前記接続検知手段によって、前記コントローラ機器と接続されたことが検知されたときに、前記ＳＤＤデータを前記コントローラ機器にアップロードする送信手段とを備えた、ＨＡＶｉ規格に準拠したターゲット機器において、
前記ＳＤＤデータには、自機又はその製造メーカの広告又はロゴマークを表示するための広告表示モジュールが含まれることを特徴とするＨＡＶｉ規格に準拠したターゲット機器。
【請求項３】
前記広告表示モジュールは、前記コントローラ機器が自機（該当ターゲット機器）と同じメーカの接続機器である場合には、前記送信手段により前記コントローラ機器にアップロードされた直後に、前記コントローラ機器側において前記広告又はロゴマークを表示することを特徴とする請求項２に記載のＨＡＶｉ規格に準拠したターゲット機器。
【請求項４】
前記広告表示モジュールは、前記コントローラ機器が自機と同じメーカの接続機器である場合には、前記コントローラ機器が自機と異なるメーカの接続機器である場合と比べて、前記コントローラ機器側において前記広告又はロゴマークを大きく表示することを特徴とする請求項２に記載のＨＡＶｉ規格に準拠したターゲット機器。
【発明の詳細な説明】
【技術分野】
【０００１】
本発明は、ＨＡＶｉ（Home Audio Video interoperability）規格に準拠したＦＡＶ（Full AV Device）等のコントローラ機器とＩＥＥＥ１３９４シリアルバスを介してネットワーク接続可能なＢＡＶ（Base AV Device）等のターゲット機器に関する。
【背景技術】
【０００２】
従来、家庭内のディジタルＡＶ（Audio Visual）機器を接続したネットワークの標準仕様として、ＨＡＶｉ（Home Audio Video interoperability）と呼ばれる規格がある。このＨＡＶｉ規格では、各接続機器は、他の接続機器の状態制御機能を有するＦＡＶ（Full AV Device）等のコントローラ機器と、コントローラ機器によって制御されるＢＡＶ（Base AV Device）等のターゲット機器とに分類される。
【０００３】
この種のネットワークシステムにおいて、ターゲット機器が、自機又は自機を製造したメーカの広告やロゴマークをコントローラ機器側のモニタに表示させることはできなかった。
【０００４】
ところで、ＩＥＥＥ１３９４シリアルバスを用いて複数の機器を接続した通信システムの分野において、各接続機器が、自機の状態を能動的に他の接続機器に通知するようにしたものが知られている（特許文献１参照）。また、この種の接続機器の分野において、バスリセットが発生した際に、接続機器の電源をバスを介してオンにし、これらの接続機器の属性情報を読み出すようにしたコントローラ機器が知られている（特許文献２参照）。しかし、上記特許文献１及び２の発明では、ターゲット機器側からコントローラ機器側のモニタに、上記ターゲット機器又はその製造メーカの広告やロゴマークを表示させることはできない。
【特許文献１】特開２００１−２８５３１４号公報
【特許文献２】特開平１１−３１７７５６号公報
【発明の開示】
【発明が解決しようとする課題】
【０００５】
本発明は、上記の問題を解決するためになされたものであり、ターゲット機器側からコントローラ機器側のモニタに、自機又はその製造メーカの広告やロゴマークを表示させることができるようにして、宣伝広告効果を高めることが可能なＨＡＶｉ規格に準拠したターゲット機器を提供することを目的とする。
【課題を解決するための手段】
【０００６】
上記目的を達成するために、請求項１の発明は、ＨＡＶｉ（Home Audio Video interoperability）規格に準拠したコントローラ機器とＩＥＥＥ１３９４シリアルバスを介してネットワーク接続可能であり、自機の機器全体に関連した基本的な制御を行うためのプログラムであるＤＣＭ（Device Control Module）と、自機が有する機能に応じた基本的な制御を行うためのプログラムであるＦＣＭ（Functional Component Module）とからなるファイルであるＤＣＭ（Device Control Module）コードユニットを含むＳＤＤデータを記憶するメモリと、自機がＩＥＥＥ１３９４シリアルバスを介して前記コントローラ機器と接続されたことを検知する接続検知手段と、前記接続検知手段によって、前記コントローラ機器と接続されたことが検知されたときに、前記ＳＤＤデータを前記コントローラ機器にアップロードする送信手段とを備えた、ＨＡＶｉ規格に準拠したターゲット機器において、前記ＳＤＤデータ内のＤＣＭ（Device Control Module）コードユニットには、広告表示ボタンを表示するための広告表示ボタン表示モジュールと、自機又はその製造メーカの広告又はロゴマークを表示するための広告表示モジュールとが含まれるものである。
【０００７】
請求項２の発明は、ＨＡＶｉ（Home Audio Video interoperability）規格に準拠したコントローラ機器とＩＥＥＥ１３９４シリアルバスを介してネットワーク接続可能であり、自機の機器全体に関連した基本的な制御を行うためのプログラムであるＤＣＭ（Device Control Module）と、自機が有する機能に応じた基本的な制御を行うためのプログラムであるＦＣＭ（Functional Component Module）とからなるファイルであるＤＣＭ（Device Control Module）コードユニットを含むＳＤＤデータを記憶するメモリと、自機がＩＥＥＥ１３９４シリアルバスを介して前記コントローラ機器と接続されたことを検知する接続検知手段と、前記接続検知手段によって、前記コントローラ機器と接続されたことが検知されたときに、前記ＳＤＤデータを前記コントローラ機器にアップロードする送信手段とを備えた、ＨＡＶｉ規格に準拠したターゲット機器において、前記ＳＤＤデータには、自機又はその製造メーカの広告又はロゴマークを表示するための広告表示モジュールが含まれるものである。
【０００８】
請求項３の発明は、請求項２に記載のＨＡＶｉ規格に準拠したターゲット機器において、前記広告表示モジュールは、前記コントローラ機器が自機（該当ターゲット機器）と同じメーカの接続機器である場合には、前記送信手段により前記コントローラ機器にアップロードされた直後に、前記コントローラ機器側において前記広告又はロゴマークを表示するものである。
【０００９】
請求項４の発明は、請求項２に記載のＨＡＶｉ規格に準拠したターゲット機器において、前記広告表示モジュールは、前記コントローラ機器が自機と同じメーカの接続機器である場合には、前記コントローラ機器が自機と異なるメーカの接続機器である場合と比べて、前記コントローラ機器側において前記広告又はロゴマークを大きく表示するものである。
【発明の効果】
【００１０】
請求項１の発明によれば、自機（該当ターゲット機器）のＳＤＤデータ内のＤＣＭ（Device Control Module）コードユニットに、広告表示ボタンを表示するための広告表示ボタン表示モジュールと、自機又はその製造メーカの広告又はロゴマークを表示するための広告表示モジュールとを含めるようにしたことにより、このＳＤＤデータをコントローラ機器にアップロードすることで、コントローラ機器側のモニタに、広告表示ボタンを表示することができる。さらに、この広告表示ボタンがユーザにより選択された際に、コントローラ機器側のモニタに自機又はその製造メーカの広告又はロゴマークを表示することができる。これにより、自機（該当ターゲット機器）又はその製造メーカの宣伝広告効果を高めることができる。
【００１１】
請求項２の発明によれば、自機（該当ターゲット機器）のＳＤＤデータに、自機又はその製造メーカの広告又はロゴマークを表示するための広告表示モジュールを含めるようにしたことにより、このＳＤＤデータをコントローラ機器にアップロードすることで、コントローラ機器側のモニタに自機又はその製造メーカの広告又はロゴマークを表示することができる。これにより、自機又はその製造メーカの宣伝広告効果を高めることができる。
【００１２】
請求項３の発明によれば、上記の広告表示モジュールが、コントローラ機器が自機（該当ターゲット機器）と同じメーカの接続機器である場合には、自モジュールがコントローラ機器にアップロードされた直後に、コントローラ機器側において上記の広告又はロゴマークを表示するようにしたことにより、コントローラ機器側のモニタに上記の広告又はロゴマークを確実に表示することができる。
【００１３】
請求項４の発明によれば、上記の広告表示モジュールが、コントローラ機器が自機（該当ターゲット機器）と同じメーカの接続機器である場合には、コントローラ機器が自機と異なるメーカの接続機器である場合と比べて、コントローラ機器側において上記の広告又はロゴマークを大きく表示するようにしたことにより、コントローラ機器が自機と同じメーカの接続機器である場合に、自機又はその製造メーカの宣伝広告効果をより大きなものとすることができる。
【発明を実施するための最良の形態】
【００１４】
本発明を実施するための最良の形態について図面を参照して説明する。第１の実施形態によるＨＡＶｉ（Home Audio Video interoperability）規格に準拠したターゲット機器は、ＨＡＶｉのデバイスクラスにおけるＢＡＶ（Base AV Device）に相当する機器であり、例えばディスクに記録された映像等の信号を再生してコントローラ機器に送信可能なＤＶＤ（Digital Versatile Disc）プレーヤー等である。また、第１の実施形態によるターゲット機器を制御するコントローラ機器は、ＨＡＶｉのデバイスクラスにおけるＦＡＶ（Full AV Device）に相当する機器であり、例えばターゲット機器からのデジタルデータを受信して映像として表示可能なディジタルテレビ等である。
【００１５】
図１は、第１の実施形態によるターゲット機器と、このターゲット機器を制御するコントローラ機器の電気的ブロック構成を示す。このターゲット機器１は、ＩＥＥＥ１３９４シリアルバス（以下、バスと略す）３を介して、コントローラ機器２と接続されており、装置全体の制御を行うマイクロプロセッサ１１（接続検知手段）を有している。
【００１６】
また、ターゲット機器１は、自機の各種情報等を格納したコンフィグレーションＲＯＭ１７を含む各種のデータを記憶するメモリ１２と、各種の指示を入力するための操作部１３と、各種メッセージを表示する表示部１４と、バス３を介してターゲット機器１との間で各種データを送受信するためのＩＥＥＥ１３９４ディジタルインタフェース（以下、インタフェースと略す）１５（送信手段）と、機器の種類に応じた各種の動作を行うための駆動部１６と、ＩＰネットワーク４と接続するためのネットワークカード１９とを有している。
【００１７】
上記のコンフィグレーションＲＯＭ１７には、ターゲット機器１のＨＡＶｉ規格準拠機器としてのプロフィールや制御情報等からなるＳＤＤデータ１８が格納されている。このＳＤＤデータ１８には、ターゲット機器１の機器全体に関連した基本的な制御を行うためのプログラムであるＤＣＭ（Device Control Module）と、ターゲット機器１が有する機能に応じた基本的な制御を行うためのプログラムであるＦＣＭ（Functional Component Module）とからなるファイルであるＤＣＭ（Device Control Module）コードユニット（図２参照）が含まれている。このＤＣＭコードユニットの内容は、ネットワークカード１９を介して、ＩＰネットワーク４経由で更新されて、最新状態に保持される。
【００１８】
また、上記のコントローラ機器２も、ターゲット機器１と同様に、マイクロプロセッサ２１、メモリ２２、操作部２３、及びインタフェース２５を有している。また、コントローラ機器２は、ターゲット機器１の制御用画面６０（図４参照）や、後述するターゲット機器１又はその製造メーカの広告又はロゴマーク等を表示するためのモニタ部２４を有している。また、コントローラ機器２のメモリ２２内には、コントローラ機器２のＨＡＶｉ規格準拠機器としてのプロフィールや制御情報等からなるＳＤＤデータ２８を格納したコンフィグレーションＲＯＭ２７に加えて、ＨＡＶｉアーキテクチャを構成する各種のソフトウェアエレメントからなるＨＡＶｉソフトウェア群２６が格納されている。
【００１９】
上記のＨＡＶｉソフトウェア群２６には、図２に示されるように、バス３上における各接続機器（例えば、ターゲット機器１）のＤＣＭ（Device Control Module）コードユニット３６のインストールやアンインストールを行うためのプログラムであるＤＣＭマネージャ３０、ＨＡＶｉネットワーク上のソフトウェアエレメントを検索するためのディレクトリサービスを提供するレジストリ４１、ＨＡＶｉネットワーク上で発生したイベントを配信するイベントマネージャ４２、ストリーム接続を設定するためのＡＰＩを提供するストリームマネージャ４３、ＦＣＭ３８で表現されるデバイス資源を管理するリソースマネージャ４４、ＩＥＥＥ１３９４の機能を用いるためのサービスを提供するＣＭＭ４６（1394 Communication Media Manager）、及び上記の各ソフトウェアエレメント間のメッセージ転送サービスを提供するメッセージングシステム４５といったシステムコンポーネントが含まれる。また、ＨＡＶｉソフトウェア群２６には、機器の表示部のＧＵＩ（Graphical User Interface）を担当するＤＤＩ（Data Driven Interaction）コントローラ３９、及びターゲット機器１によりアップロードされたＤＣＭコードユニット３６や自機のＤＣＭコードユニット３６が含まれている。
【００２０】
次に、図３及び図４を参照して、上記のターゲット機器１によりアップロードされたＤＣＭコードユニット３６に含まれるＦＣＭ３８内のデータについて説明する。図３に示されるように、ＦＣＭ３８内のデータには、図４に示されるターゲット機器１の制御用画面６０上に広告表示ボタン６１を表示するための広告表示ボタン表示モジュール５１と、ターゲット機器１又はその製造メーカの広告又はロゴマークを表示するための広告表示モジュール５２と、広告表示ボタン６１のイメージデータ５３（以下、広告表示ボタンイメージデータという）と、上記の広告又はロゴマークのイメージデータ５４（以下、広告イメージデータという）とが含まれている。
【００２１】
次に、図５のフローチャートを参照して、バス３を介してコントローラ機器２と接続された際におけるターゲット機器１側の処理について説明する。ターゲット機器１のマイクロプロセッサ１１は、コントローラ機器２と接続されると（Ｓ１でＹＥＳ）、自機のコンフィグレーションＲＯＭ１７内のＳＤＤデータ１８（図１参照）を、インタフェース１５を用いてコントローラ機器２にアップロードする（Ｓ２）。このＳＤＤデータ１８には、図３に示される広告表示ボタン表示モジュール５１、広告表示モジュール５２、広告表示ボタンイメージデータ５３、及び広告イメージデータ５４を含むＤＣＭコードユニット３６が含まれている。
【００２２】
次に、図６のフローチャートを参照して、バス３を介してターゲット機器１と接続された際におけるコントローラ機器２側の処理について説明する。コントローラ機器２のマイクロプロセッサ２１は、ターゲット機器１と接続されると（Ｓ１１でＹＥＳ）、ターゲット機器１からアップロードされた（ダウンロードした）ＳＤＤデータ１８を、インタフェース２５を介して受信して（Ｓ１２）、上記のＤＣＭマネージャ３０（図２参照）の命令コードに基き、上記のアップロードされたＳＤＤデータ１８に含まれるＤＣＭコードユニット３６を自機（コントローラ機器２）にインストールする。そして、ユーザが、コントローラ機器２側の操作部２３を用いて、ターゲット機器１の操作を選択すると（Ｓ１３でＹＥＳ）、コントローラ機器２のマイクロプロセッサ２１は、上記のインストールされたＤＣＭコードユニット３６に含まれる、ターゲット機器１の制御用のＵＩ（User Interface）データに基いて、制御用画面６０（図４参照）をモニタ部２４上に表示する（Ｓ１４）。この制御用画面６０の表示の基になるＵＩデータには、図３に示される広告表示ボタン表示モジュール５１と広告表示ボタンイメージデータ５３とが含まれているため、図４に示されるように、制御用画面６０上には、広告表示ボタン６１が表示される。そして、この制御用画面６０において、ユーザが、コントローラ機器２側の操作部２３を用いて、広告表示ボタン６１を選択すると（Ｓ１５でＹＥＳ）、コントローラ機器２のマイクロプロセッサ２１は、図３に示される広告表示モジュール５２と広告イメージデータ５４とを用いて、ターゲット機器１又はその製造メーカの広告又はロゴマークを表示する（Ｓ１６）。
【００２３】
上述したように、第１の実施形態によるターゲット機器１によれば、ＳＤＤデータ１８内のＤＣＭ（Device Control Module）コードユニット３６に、広告表示ボタンを表示するための広告表示ボタン表示モジュール５１と、自機（該当ターゲット機器）又はその製造メーカの広告又はロゴマークを表示するための広告表示モジュール５２とを含めるようにしたことにより、このＳＤＤデータ１８をコントローラ機器２にアップロードすることで、コントローラ機器２側のモニタ部２４に、広告表示ボタン６１を表示することができる。さらに、この広告表示ボタン６１がユーザにより選択された際に、コントローラ機器２側のモニタ部２４に自機又はその製造メーカの広告又はロゴマークを表示することができる。これにより、自機（該当ターゲット機器）又はその製造メーカの宣伝広告効果を高めることができる。
【００２４】
また、上記のＤＣＭコードユニット３６の内容は、ネットワークカード１９を介してＩＰネットワーク４経由で更新されて、最新状態に保持されるので、広告表示モジュール５２と広告イメージデータ５４により表示される広告を、最新の情報を含んだものとすることができる。
【００２５】
次に、図７のフローチャートを参照して、第２の実施形態によるターゲット機器１が、コントローラ機器２側にアップロードするＳＤＤデータ１８に含まれる広告表示モジュール５２の処理について説明する。コントローラ機器２のマイクロプロセッサ２１は、自機がターゲット機器１と接続されると、ターゲット機器１からアップロードされたＳＤＤデータ１８に含まれるＤＣＭコードユニット３６を自機（コントローラ機器２）にインストールする。そして、コントローラ機器２のマイクロプロセッサ２１は、ＤＣＭコードユニット３６に含まれる広告表示モジュール５２の命令コードに基いて、このＤＣＭコードユニット３６がインストールされたコントローラ機器２が、ターゲット機器１と同じメーカの接続機器である場合には（Ｓ２１でＹＥＳ）、ＤＣＭコードユニット３６がインストールされた直後に、モニタ部２４上に、ターゲット機器１又はその製造メーカの広告又はロゴマークを全画面表示する（Ｓ２２）。これに対して、コントローラ機器２が、ターゲット機器１と異なるメーカの接続機器である場合には（Ｓ２１でＮＯ）、第１の実施形態の場合と同様に、ユーザが、コントローラ機器２側の操作部２３を用いて、制御用画面６０上の広告表示ボタン６１を選択したときに（Ｓ２３でＹＥＳ）、モニタ部２４の画面の一部に、ターゲット機器１又はその製造メーカの広告又はロゴマークを表示する（Ｓ２４）。
【００２６】
なお、本発明は、上記実施形態に限られるものではなく、様々な変形が可能である。例えば、上記第２の実施形態では、ＤＣＭコードユニット３６がインストールされたコントローラ機器２が、ターゲット機器１と同じメーカの接続機器である場合に限って、ＤＣＭコードユニット３６がコントローラ機器２にインストールされた直後に、コントローラ機器２側のモニタ部２４にターゲット機器１又はその製造メーカの広告又はロゴマークを表示するようにしたが、コントローラ機器が、ターゲット機器と同じメーカの接続機器であるか否かに係らず、該当ターゲット機器のＤＣＭコードユニットがコントローラ機器にインストールされた直後に、コントローラ機器側のモニタ部にターゲット機器又はその製造メーカの広告又はロゴマークを表示するようにしてもよい。
【図面の簡単な説明】
【００２７】
【図１】本発明の第１の実施形態によるターゲット機器とそのコントローラ機器の電気的ブロック構成図。
【図２】図１中のＨＡＶｉソフトウェア群に含まれるソフトウェアエレメントの構成図。
【図３】上記ターゲット機器よりアップロードされたＦＣＭに含まれるデータを示す図。
【図４】上記コントローラ機器のモニタ部に表示されるターゲット機器の制御用画面を示す図。
【図５】上記コントローラ機器と接続された際におけるターゲット機器側の処理を示すフローチャート。
【図６】上記ターゲット機器と接続された際におけるコントローラ機器側の処理を示すフローチャート。
【図７】本発明の第２の実施形態によるターゲット機器がコントローラ機器側にアップロードする広告表示モジュールの処理を示すフローチャート。
【符号の説明】
【００２８】
１    ターゲット機器
２    コントローラ機器
３    バス（ＩＥＥＥ１３９４シリアルバス）
１１  マイクロプロセッサ（接続検知手段）
１２  メモリ
１５  インタフェース（送信手段）
１８  ＳＤＤデータ
３６  ＤＣＭコードユニット
３７  ＤＣＭ
３８  ＦＣＭ
５１  広告表示ボタン表示モジュール
５２  広告表示モジュール
【図１】
2006128877.tif 000003
【図２】
2006128877.tif 000004
【図３】
2006128877.tif 000005
【図４】
2006128877.tif 000006
【図５】
2006128877.tif 000007
【図６】
2006128877.tif 000008
【図７】
2006128877.tif 000009